(57)【要約】【課題】  測定対象の多波長側の接続替えを行うことなく、合波器又は分波器の各チャネルにおける挿入損失を簡単に測定することが可能な合波器・分波器の挿入損失測定方法を提供する。【解決手段】  測定対象の挿入損失の測定時に用いられる基準用の分波器の各チャネルの挿入損失を一度だけ求める（Ｓ１０２、Ｓ１０３）。基準用の分波器を前記多波長側のチャネル同士の全てが接続されるようにして測定対象の合波器を接続し、各チャネル毎のトータルの挿入損失を求める（Ｓ１０５）。この各チャネル毎のトータルの挿入損失からＳ１０２で求めた基準用の分波器の各チャネルの挿入損失を差し引くことにより、測定対象の合波器の挿入損失が算出される（Ｓ１０６）。これにより、測定対象の合波器は、多波長側の波長に応じた接続替えが不要になる。測定対象には分波器も含まれ、この場合、ペアになる基準用の光部品は合波器になる。【選択図】        図１
2005062122.tif 000002
【特許請求の範囲】
【請求項１】
異なる波長による複数の光信号を波長多重する合波器、又は波長多重された光信号を波長毎に分波する分波器の挿入損失を測定する合波器・分波器の挿入損失測定方法において、
測定時にのみ用いられる基準用の分波器又は合波器の各チャネルの挿入損失を求め、
多波長側の同一チャネル同士が相互に接続された状態で前記測定対象の合波器又は分波器に前記基準用の分波器又は合波器を直列に接続し、前記基準用の分波器又は合波器から前記測定対象に到るトータルの挿入損失をチャネル毎に求め、
前記各チャネル毎のトータルの挿入損失から前記基準用の分波器又は合波器の各チャネルの挿入損失を差し引いて前記測定対象の合波器又は分波器の挿入損失を算出することを特徴とする合波器・分波器の挿入損失測定方法。
【請求項２】
前記測定対象の合波器又は分波器の挿入損失の算出は、前記基準用の分波器又は合波器の各チャネルの挿入損失と共に、前記分岐手段の前記第１の分岐光と前記第２の分岐光との出力差Ｌｃを前記各チャネル毎のトータルの挿入損失から差し引くことを特徴とする請求項１記載の合波器・分波器の挿入損失測定方法。
【請求項３】
前記基準用の分波器又は合波器の各チャネルの挿入損失は、波長可変光源からの出力光を分岐手段により２つに分岐し、その第１の分岐からの光パワーを第１の測定手段で測定すると共に、第２の分岐からの光パワーを前記基準用の分波器又は合波器に導き、前記波長可変光源のチャネルを変更する毎に前記基準用の分波器又は合波器の多波長側の各チャネルの光パワーを第２の測定手段で測定し、この第２の測定手段による測定値を前記第１の測定手段による測定値から差し引くことにより求めることを特徴とする請求項１記載の合波器・分波器の挿入損失測定方法。
【請求項４】
前記基準用の分波器又は合波器の各チャネルの挿入損失は、初回にのみ求め、以後は前記初回に求めた挿入損失値を利用し、再測定は行わないことを特徴とする請求項１又は３記載の合波器・分波器の挿入損失測定方法。
【請求項５】
前記第１及び第２の測定手段は、前記光パワーのそれぞれをパワーメータを用いて測定し、
前記分岐手段は、カプラを用いて前記第１の分岐光と前記第２の分岐光を形成することを特徴とする請求項３記載の合波器・分波器の挿入損失測定方法。
【発明の詳細な説明】
【技術分野】
【０００１】
本発明は、合波器・分波器の挿入損失測定方法に関し、特に、複数のチャネルを有する合波器又は分波器の挿入損失を各チャネルについて簡単に測定することが可能な合波器・分波器の挿入損失測定方法に関する。
【背景技術】
【０００２】
光伝送システムでは、異なる波長の複数の光信号を１本の光ファイバで伝送する波長多重（ＷＤＭ：Wavelength Devision Multiplexing）等が用いられており、１本の光ファイバの有効利用が図られている。なお、光伝送システムにおいては、伝送系の途中で光信号を追加したり、指定した波長の光を抜き出すことが行われており、このための光部品（光デバイス）が波長合波器又は光合波器（ＯＭＵＸ、以下、合波器という。）、波長分波器又は光分波器（ＯＤＭＵＸ、以下、分波器という。）である。合波器は波長λ１，λ２，・・・，λｎのｎ個の波長の光を１本の光ファイバに導入し、分波器は１本の光ファイバから入力された多重化信号を波長λ１，λ２，・・・，λｎの夫々の波長の光信号に分離するものである。
【０００３】
光伝送に組み込まれた合波器や分波器が正常に動作しているか否か、経年変化等により劣化や異常が生じていないか否かを把握することは、システムの正常動作にとって重要である。そこで、施工時、異常発生時、更には、定期的、又は必要に応じて合波器や分波器のチェックが行われる。このチェックは、合波器や分波器の挿入損失を測定することにより可能である。
【０００４】
合波器や分波器の挿入損失の測定には、従来より、パワーメータ（ＰＭ：Power Meter ）が用いられている。パワーメータは、入力光をフォトダイオードにより電気信号に変換し、その光電流を測定することにより光パワーを算出し、ディスプレイに表示する等の機能を備えている。その代表的な使用例が利得測定であり、合波器や分波器の入力パワー及び出力パワーをパワーメータで測定し、入力値から出力値を差し引くことにより、合波器や分波器の損失（loss）を知ることができる。
【０００５】
図３は、合波器における従来の挿入損失測定方法を実現するための構成例を示す。測定用光源として波長可変光源（ＴＬＳ：Tunable Laser Source）１１が用いられ、この波長可変光源１１に光ファイバ３１を介してカプラ１２が接続されている。カプラ１２の分岐出力の一方には光ファイバ３４を介してパワーメータ１３（ＰＭ１）が接続され、分岐出力の他方には光ファイバ３２が接続されている。光ファイバ３２には合波器１４の複数の入力端子の内の１つが接続される。合波器１４の出力端子には光ファイバ３３を介してパワーメータ１５（ＰＭ２）が接続されている。波長可変光源１１は、回折格子を内蔵し、この回折格子の回転により出力光の波長を自由に変更することができる。
【０００６】
合波器１４の複数の入力端子が、図３の上から下に向かって波長λ１，λ２，・・・，λ（ｎ−１），λｎ（チャネルｃｈ１〜ｃｈｎ）のように異なる波長に対応しているものとすると、まず、光ファイバ３２を波長λ１の入力端子（ｃｈ１）に接続する。この状態で、波長可変光源１１から波長λ１の光を発生させ、パワーメータ１３及び１５により光パワーを測定する。パワーメータ１３による測定値Ｓ１からパワーメータ１５による測定値Ｓ２を差し引けば（Ｓ１−Ｓ２）、ｃｈ１（波長λ１）における合波器１４の挿入損失を算出できる。
【０００７】
以下、同様にして、波長可変光源１１から出力する光の波長をλ２，λ３，・・・と変えると共に、合波器１４の次の入力端子に光ファイバ３２を接続替えしながら、パワーメータ１３，１５による測定を順次実行し、その測定値に基づいて挿入損失を算出する。
【０００８】
図４は、分波器における従来の挿入損失測定方法を実現するための構成例を示す。分波器の挿入損失を測定する場合、光ファイバ３２と３３の間に分波器１６を配設する。分波器１６は、波長λ１，λ２，・・・，λｎ（ｃｈ１〜ｃｈｎ）に対応した複数の出力端子を備えている。波長可変光源１１から出力する光の波長をλ１，λ２，・・・と変えながら、その都度、分波器１６の複数の出力端子を波長に応じて１つを選択し、パワーメータ１３及び１５により光パワーを測定する。例えば、波長可変光源１１から波長λ１の光を発生させた場合、分波器１６の波長λ１に対応した出力端子の光パワーをパワーメータ１５で測定し、パワーメータ１３の測定値Ｓ１とパワーメータ１５の測定値Ｓ２との差（Ｓ１−Ｓ２）がｃｈ１（波長λ１）における分波器１６の挿入損失として算出される。
【０００９】
図５は、分波器における従来の挿入損失測定方法を実現するための他の構成例を示す。図３の測定方法では、光ファイバ３２と合波器１４の入力端子の接続替えを入力端子の数だけ行う必要がある。同様に、図４の測定方法では、分波器１６の複数の出力端子と光ファイバ３３との接続替えを出力端子の数だけ行う必要がある。この不便さを解消したのが図５であり、波長可変光源１１の出力光の波長変更に応じて光スイッチ１７を切り替えるのみで接続変更が可能になる。
【００１０】
光ファイバ３１を介して波長可変光源１１にはカプラ１２が接続されている。カプラ１２の分岐出力の一方に光ファイバ３４を介してパワーメータ１３（ＰＭ１）が接続され、他方に光ファイバ３２が接続されている。光ファイバ３２には光スイッチ１７の入力端子が接続されている。光スイッチ１７は、１つの入力端子と合波器１４の入力端子数に応じた複数の出力端子を備えている。光スイッチ１７の複数の出力端子と合波器１４の複数の入力端子とは、１対１の関係で接続されている。合波器１４の出力端子には光ファイバ３３を介してパワーメータ１５（ＰＭ２）が接続されている。
【００１１】
波長可変光源１１から出力される光の波長がλ１のとき、光スイッチ１７は合波器１４の入力端子をλ１に対応する端子を選択する。この状態は、図３と同じになる。ここで、パワーメータ１３，１５により光パワーを測定し、λ１における合波器１４の挿入損失を算出する。以後、λ２，λ３，・・・λｎと波長可変光源１１の出力光を変更すると共に、それに合わせて光スイッチ１７を順次切り替え、その都度パワーメータ１３，１５により光パワーを測定し、これに基づいて合波器１４の波長λ２〜λｎの挿入損失を算出する。
【００１２】
図５において、光スイッチ１７と合波器１４の組み合わせに代えて、分波器１６と光スイッチ１７の組み合わせにしてもよい。この場合、分波器１６を図４の様に前段に設置し、光スイッチ１７は後段に設置する。
【００１３】
なお、光パワーを測定して光部品や光線路の光損失の変動を監視する光損失監視装置が提案されている（例えば、特許文献１参照。）。光源に接続した分岐部の第１の分岐点には透過性を有する反射点を介して被測定物が接続され、分岐部の第２の分岐点には第１の光パワー測定器が接続され、分岐部の第３の分岐点には前記反射点からの反射光を測定する第２の光パワー測定器が接続され、被測定物には第３の光パワー測定器が接続された構成とし、第１，第２，及び第３の光パワー測定器による光パワー値Ｐ１，Ｐ２，Ｐ３に基づいて光源、分岐部、反射点、及び被測定物のそれぞれの光損失を測定し、これらが所定の基準値を越えるときに警報を発すると共に表示を行う。各部の光損失を把握していることにより、光損失の変動の要因を特定することが可能になる。
【００１４】
【特許文献１】特開平１１−２７１１７８号公報（図１）
【発明の開示】
【発明が解決しようとする課題】
【００１５】
しかし、従来の合波器・分波器の挿入損失測定方法によると、図３及び図４の構成を利用した場合、多波長側の測定ｃｈを変更する毎に測定器と多波長側の光ファイバとを接続替えする必要がある。また、図５の構成を利用した場合、光スイッチ自体の損失再現性が悪いため、測定精度が上がらないという問題がある。
【００１６】
更に、特許文献１を波長合波器や波長分波器の損失測定に用いようとしても、光源が波長可変ではないため、波長多重を扱う波長合波器や波長分波器には適用できない。また、反射点を設置する必要があるほか、光パワー測定器を３ヵ所に設置した複雑な構成になると共に測定作業が面倒になる。
【００１７】
したがって、本発明の目的は、測定対象の多波長側の接続替えを行うことなく、合波器又は分波器の各チャネルにおける挿入損失を簡単に測定することが可能な合波器・分波器の挿入損失測定方法を提供することにある。
【課題を解決するための手段】
【００１８】
本発明は、上記の目的を達成するため、異なる波長による複数の光信号を波長多重する合波器、又は波長多重された光信号を波長毎に分波する分波器の挿入損失を測定する合波器・分波器の挿入損失測定方法において、測定時にのみ用いられる基準用の分波器又は合波器の各チャネルの挿入損失を求め、多波長側の同一チャネル同士が相互に接続された状態で前記測定対象の合波器又は分波器に前記基準用の分波器又は合波器を直列に接続し、前記基準用の分波器又は合波器から前記測定対象に到るトータルの挿入損失をチャネル毎に求め、前記各チャネル毎のトータルの挿入損失から前記基準用の分波器又は合波器の各チャネルの挿入損失を差し引いて前記測定対象の合波器又は分波器の挿入損失を算出することを特徴とする合波器・分波器の挿入損失測定方法を提供する。
【００１９】
この方法によれば、基準用の分波器又は合波器の各チャネルの挿入損失を予め求め、ついで、測定対象の合波器又は分波器を基準用の分波器又は合波器に接続して各チャネルのトータルの挿入損失を求める。このトータルの挿入損失から、基準用（参照用）として求めてある挿入損失を差し引けば、測定対象の合波器又は分波器の挿入損失を求めることができる。これにより、測定対象の合波器又は分波器については、各チャネルに対する測定を個別に行うことなく各チャネルの挿入損失を求めることができる。したがって、測定対象の合波器又は分波器の各チャネルにおける挿入損失を簡単に測定することが可能になる。
【発明の効果】
【００２０】
本発明の合波器・分波器の挿入損失測定方法によれば、測定対象の合波器又は分波器の各チャネルの挿入損失を測定するに際し、基準用（参照用）の分波器又は合波器を用意し、これについて予め各チャネルの挿入損失を基準用に求めておき、その際の分波器又は合波器に測定対象の合波器又は分波器を接続して各チャネルのトータルの挿入損失を求め、このトータルの挿入損失から予め求めた基準用の挿入損失を差し引くことにより、測定対象の合波器又は分波器の多波長側の接続替えを行うことなく各チャネルの挿入損失を求めるようにしたので、測定対象の合波器又は分波器の各チャネルにおける挿入損失を簡単に測定することが可能になり、測定対象の合波器又は分波器の数が増えるほど、測定時間及び測定作業の負担を軽減することができる。
【発明を実施するための最良の形態】
【００２１】
図１は、本発明の実施の形態に係る合波器・分波器の挿入損失測定方法における分波器の損失測定処理を示す。また、図２は、図１の挿入損失測定方法に従った合波器と分波器の接続手順を示す。
【００２２】
図２を参照して、本発明の実施の形態に係る合波器・分波器の挿入損失測定方法の概略について説明する。合波器の損失を測定する場合、図２の（ａ）のように、波長可変光源１に光ファイバ２１を介してカプラ２（分岐手段）を接続し、その分岐出力の一方に光ファイバ２４を介して第１の測定手段としてのパワーメータ３（ＰＭ１）を接続し、他方の分岐出力には光ファイバ２２を介して合波器４の複数の入力端子の内の波長可変光源１の出力光の波長に対応した１つが接続されている。合波器４の出力端子には光ファイバ２３を介して第２の測定手段としてのパワーメータ５（ＰＭ２）が接続されている。
【００２３】
波長可変光源１から波長λ１の光を発生させたとき、合波器４の波長λ１に対応する入力端子に光ファイバ２２を接続し、このときの光パワーをパワーメータ３，５で測定する。パワーメータ３の光パワー値Ｐ１からパワーメータ５の光パワー値Ｐ２を差し引くと、波長λ１における合波器４の損失を算出できる。以後、同様にして波長可変光源１からλ２，・・・，λｎの波長光を順番に発生させ、その都度、光ファイバ２２を合波器４の他の入力端子につなぎ替えて光パワー値Ｐ１，Ｐ２を測定し、合波器４のそれぞれの波長、すなわち全ｃｈにおける損失を算出する。この算出は、コンピュータを用いて行うことも、専用の演算装置を用いて行うことも可能である。或いは、担当者が筆記により行ってもよい。
【００２４】
ついで、図２の（ｂ）に示すように、光ファイバ２２と合波器４との間に分波器６を挿入接続する。分波器６の出力端子と合波器４の入力端子とは、同じ波長同士が接続される。この状態で波長可変光源１の出力光の波長をλ１からλ２，・・・，λｎと順次変更すると共に各波長においてパワーメータ３，５により光パワーを測定し、各ｃｈの損失を算出する。この場合の損失は、分波器６と合波器４のトータルの挿入損失である。そこで、図２の（ａ）で求めた合波器４の損失を差し引くと、分波器６の損失を求めることができる。
【００２５】
更に、合波器４の損失を求めたい場合について説明する。この場合、図２の（ｃ）に示すように、図２の（ａ）の構成における合波器４に代えて分波器６を接続する。そして、波長可変光源１からλ２，・・・，λｎを順番に発生させ、その都度、光ファイバ２３と分波器６の出力端子との接続を変更しながら、各波長における波長可変光源１からの光パワーと分波器６からの光パワーとをパワーメータ３及び５で測定すれば、分波器６の全ｃｈにおける損失を算出することができる。
【００２６】
次に、図２の（ｂ）に示すように、分波器６と光ファイバ２２との間に測定対象である合波器４を挿入接続する。合波器４の入力端子は分波器６の出力端子に接続（同じｃｈ同士を接続）される。この状態で波長可変光源１の出力光の波長をλ１からλ２，・・・，λｎと順次変更すると共に各波長においてパワーメータ３，５により光パワーを測定し、各ｃｈの損失を算出する。この場合の損失は、分波器６と合波器４のトータルの挿入損失である。そこで、図２の（ｃ）で求めた分波器６の損失を差し引くと、合波器４の損失を求めることができる。
【００２７】
以上のように、最初に基準用（又は、参照用）の合波器４又は分波器６の挿入損失を各波長（全ｃｈ）について求め、次に、挿入損失を求めたい分波器６又は合波器４を図２の（ｂ）の様に追加接続し、その測定に基づく損失算出結果から既知の合波器４又は分波器６の挿入損失を差し引けば、分波器６又は合波器４の挿入損失を求めることができる。
【００２８】
したがって、測定基準となる合波器又は分波器を測定用に用意しておき、その損失を予め把握しておけば、以後、基準のための測定を行う必要がなく、図２の（ｂ）のように、測定対象（被測定物）である合波器又は分波器に一時的に挿入接続するのみで、測定対象の出力端子や入力端子の接続替えを行うことなく測定対象の合波器又は分波器の損失を求めることができる。
【００２９】
測定基準として用意した合波器又は分波器、及び損失データは、以後、他の場所の測定対象（被測定物）に対してそのまま利用することができるので、再度、基準用の測定及び損失算出を行う必要はない。なお、基準用の合波器又は分波器は、測定時にのみ用いられるもので、測定完了後には伝送系から撤去される。
【００３０】
本発明者は、図５に示した従来の測定方法と本発明の実施の形態に係る測定方法の測定再現性について比較検討した。その結果、図５に示した従来方法での測定再現性は±０．１ｄＢ（光スイッチ１７の再現精度による）であったが、図２の（ｂ）の本発明方法による測定再現性は、±０．０５ｄＢ（測定器の測定精度）であり、本発明の実施の形態に係る方法によって２倍の精度を得られることが判った。
【００３１】
次に、本発明の実施の形態に係る測定方法の詳細について、図１及び図２を参照して説明する。ここでは、合波器が被測定物（測定対象）であるとする。また、基準用の分波器６は、その挿入損失のデータが無く、これから測定を行って取得するものとする。なお、図１において、図中の“Ｓ”はステップを意味し、更に、図中の（１）〜（５）は以下で説明する（１）〜（５）に相当する。
【００３２】
（１）まず、カプラ２の分岐出力差を測定及び算出する。波長可変光源１にカプラ２を接続する。カプラ２の第１の分岐出力（光ファイバ２４側の分岐）にパワーメータ３（ＰＭ１）を接続し、波長可変光源１の出力をｃｈ１の波長λ１にセットし、そのときの光パワー（Ｌｃ１）をパワーメータ３で測定する。また、カプラ２の第２の分岐出力（光ファイバ２２側の分岐）にパワーメータ３を接続替えし、波長可変光源１の出力条件を光ファイバ２４側と同じにしたまま、そのときの光パワー（Ｌｃ２）をパワーメータ３で測定する。この２つの測定結果から、カプラ２の分岐出力差（Ｌｃ）を、次の計算式により算出することができる（Ｓ１０１）。
【００３３】
Ｌｃ＝Ｌｃ１−Ｌｃ２          ・・・（１）
【００３４】
（２）次に、波長可変光源１、カプラ２、分波器６、パワーメータ３，５を図２の（ｃ）に示すように接続する。そして、波長可変光源１の出力をｃｈ１の波長にセットし、カプラ２からの分岐出力（光ファイバ２４側）をパワーメータ３（ＰＭ１）で測定（測定値：Ｌｃ１）する。また、基準用の分波器６のｃｈ１（図示の最上部の出力端子）からの出力をパワーメータ５（ＰＭ２）で測定（測定値：Ｌｃｈ１）し、これらの測定値の差から分波器６のｃｈ１の基準損失（Ｌ１ａ）を算出する（Ｓ１０２）。
【００３５】
Ｌ１ａ＝Ｌｃｈ１−Ｌｃ１＋Ｌｃ        ・・・（２）
【００３６】
（３）次に、波長可変光源１の波長をｃｈ１から順次他の末測定のチャネルにセット（λ２→λ３→・・・→λｎ）して、それぞれのｃｈに合わせて分波器６の出力端子にパワーメータ５を順次接続替えし、上記（２）による処理と同様に、カプラ２からの分岐出力（測定値Ｌｃｈ２〜Ｌｃｈｎ）と、分波器６の各ｃｈからの出力（測定値：Ｌｃ２〜Ｌｃｎ）を測定し、これらの各チャネルの測定値の差から分波器６のｃｈ１以外の基準損失（算出値：Ｌ２ａ，Ｌ３ａ，・・・，Ｌｎａ）を算出する（Ｓ１０３）。全チャネルの測定終了が判定されると（Ｓ１０４）、処理はＳ１０５へ移行する。
【００３７】
チャネル２の基準損失：  Ｌ２ａ＝Ｌｃｈ２−Ｌｃ２＋Ｌｃ
チャネル３の基準損失：  Ｌ３ａ＝Ｌｃｈ３−Ｌｃ３＋Ｌｃ
・                        ・
・                        ・
・                        ・
チャネルｎの基準損失：  Ｌｎａ＝Ｌｃｈｎ−Ｌｃｎ＋Ｌｃ    ・・・（３）
【００３８】
（４）次に、図２の（ｃ）の接続に対して、被測定物である合波器４を図２の（ｂ）のように接続する。そして、波長可変光源１の出力をｃｈ１の波長λ１からλ２，・・・，λｎへと順次変更し、その都度、カプラ２からの分岐出力をパワーメータ３で測定（測定値：ＬｃｈＣ１〜ＬｃｈＣｎ）すると共に、合波器４からの出力をパワーメータ５で測定（測定値：ＬｃｈＯ１〜ＬｃｈＯｎ）し、これらの測定値の差から各チャネルについて分波器６と合波器４のトータルでの損失ＴＬ（算出値＝ＴＬ１，ＴＬ２，・・・，ＴＬｎ）を算出する（Ｓ１０５）。
【００３９】
チャネル１のトータルの損失：ＴＬ１＝ＬｃｈＯ１−ＬｃｈＣ１＋Ｌｃ
チャネル２のトータルの損失：ＴＬ２＝ＬｃｈＯ２−ＬｃｈＣ２＋Ｌｃ
・                                    ・
・                                    ・
・                                    ・
チャネルｎのトータルの損失：ＴＬｎ＝ＬｃｈＯｎ−ＬｃｈＣｎ＋Ｌｃ・・・（４）
【００４０】
（５）上記（４）で測定した各チャネルの分波器６と合波器４のトータルでの損失（ＴＬ）から、上記（２）又は（３）で測定した各チャネルの基準損失（分波器６のみを接続した時の挿入損失）を差し引いて、測定対象である合波器４の各チャネルの挿入損失（算出値：Ｌ１，Ｌ２，・・・，Ｌｎ）を算出する（Ｓ１０６）。こうして得られた測定対象の合波器４の各チャネルの挿入損失（Ｌ１〜Ｌｎ）は、以下のようになる。
【００４１】
チャネル１の挿入損失：Ｌ１＝ＴＬ１−Ｌ１ａ
チャネル２の挿入損失：Ｌ２＝ＴＬ２−Ｌ２ａ
・                      ・
・                      ・
・                      ・
チャネルｎの挿入損失：Ｌｎ＝ＴＬｎ−Ｌｎａ            ・・・（５）
【００４２】
以上は測定対象（被測定物）が合波器４の場合であったが、分波器６が測定対象である場合には、上記した合波器４の損失の測定手順とほぼ同様の手順で行われる。まず、図２の（ａ）の接続により、基準用の合波器４について各チャネルの損失が測定された後、図２の（ｂ）のように測定対象の分波器６が接続される。この状態で各チャネルが測定され、その測定値と、図２の（ａ）における各チャネルの測定値との差により、測定対象である分波器６の各チャネルの損失が算出される。
【００４３】
なお、合波器４が基準用である場合、合波器に代えてカプラ（又は、スプリッタ）を用いることもできる。
【図面の簡単な説明】
【００４４】
【図１】本発明の実施の形態に係る合波器・分波器の挿入損失測定方法における分波器の損失測定処理を示すフローチャートである。
【図２】図１の挿入損失測定方法にしたがった合波器と分波器の接続手順を説明する接続図である。
【図３】合波器における従来の挿入損失測定方法を実現する為の構成例を示す接続図である。
【図４】分波器における従来の挿入損失測定方法を実現する為の構成例を示す接続図である。
【図５】分波器における従来の挿入損失測定方法を実現する為の他の構成例を示す接続図である。
【符号の説明】
【００４５】
１  波長可変光源
２  カプラ
３，５  パワーメータ
４  合波器
６  分波器
２１，２２，２３，２４  光ファイバ
１１  波長可変光源
１２  カプラ
１３，１５  パワーメータ
１４  合波器
１６  分波器
３１，３２，３３，３４  光ファイバ
【図１】
2005062122.tif 000003
【図２】
2005062122.tif 000004
【図３】
2005062122.tif 000005
【図４】
2005062122.tif 000006
【図５】
2005062122.tif 000007